(57)【要約】前端部を備えた外側アーム（５）と、前記前端部に設けられ、外側アーム（５）内を軸方向に変位できる内側アーム（６）とを有する入れ子式に伸長可能なブーム（１）に組込まれた軸受。外側アーム（５）及び内側アーム（６）は方形管から成る。内側アーム（６）の平坦面は外側アーム（５）の対応した平坦面に沿ってのび、またブーム（１）は四つの長手方向側部を備える。軸受は、共に方形管構造を形成する四つの壁（１０ａ〜１０ｄ）を備えたケーシングとして構成した軸受ボックス（１０）を有する。軸受ボックス（１０）は多数の摺動軸受（１１ａ〜１１ｄ、１２ａ〜１２ｄ）を備え、そして外側アーム（５）と内側アーム（６）との間で外側アーム（５）の前端部内に挿置される。摺動軸受（１１ａ〜１１ｄ、１２ａ〜１２ｄ）は、軸受ボックス（１０）の壁（１０ａ〜１０ｄ）に設けられ、そして外側アーム（５）及び内側アーム（６）の互いに沿ってのびる対応した平坦面に対して適用される。軸受ボックス（１０）の少なくとも一つの壁（１０ａ〜１０ｃ）に関して、少なくとも一つの摺動軸受（１１ａ〜１１ｃ、１２ａ〜１２ｃ）の厚さを調整し従って少なくとも一つの摺動軸受に対して適用した外側アーム（５）と内側アーム（６）との表面間の遊びを調整する軸線方向に装着した調整装置（１５、２０、１７ａ〜１７ｃ）が設けられる。【選択図】  図２
2009517568.tif 000002
【特許請求の範囲】
【請求項１】
入れ子式に伸長可能なブーム（１）に組込まれた軸受であって、ブーム（１）のキャリア（２）に接続した後端部及び前端部を備えた外側アーム（５）と、前記前端部に設けられ、外側アーム（５）内を軸方向に変位できる内側アーム（６）とを有し、外側アーム（５）及び内側アーム（６）が方形管から成り、内側アーム（６）の平坦面が外側アーム（５）の対応した平坦面に沿ってのび、またブーム（１）が四つの長手方向側部を備えている軸受において、
共に方形管構造を形成する四つの壁（１０ａ〜１０ｄ）を備えたケーシングとして構成した軸受ボックス（１０）を有し、
軸受ボックス（１０）が多数の摺動軸受（１１ａ〜１１ｄ、１２ａ〜１２ｄ）を備え、そして外側アーム（５）と内側アーム（６）との間で外側アーム（５）の前端部内に挿置され、
摺動軸受（１１ａ〜１１ｄ、１２ａ〜１２ｄ）が、軸受ボックス（１０）の壁（１０ａ〜１０ｄ）に設けられ、そして外側アーム（５）及び内側アーム（６）の互いに沿ってのびる対応した平坦面に対して適用され、
軸受ボックス（１０）の少なくとも一つの壁（１０ａ〜１０ｃ）に関して、少なくとも一つの摺動軸受（１１ａ〜１１ｃ、１２ａ〜１２ｃ）の厚さを調整し従って少なくとも一つの摺動軸受に対して適用した外側アーム（５）と内側アーム（６）との表面間の遊びを調整する軸線方向に装着した調整装置（１５、２０、１７ａ〜１７ｃ）が設けられていること
を特徴とする軸受。
【請求項２】
軸受ボックス（１０）には、軸受ボックス（１０）の各壁（１０ａ〜１０ｄ）と組合さった少なくとも一つの摺動軸受（１１ａ〜１１ｄ）を備えた前方の一組の軸受（１１）と、軸受ボックス（１０）の各壁（１０ａ〜１０ｄ）と組合さった少なくとも一つの摺動軸受（１２ａ〜１２ｄ）を備えた後方の一組の軸受（１２）とが設けられることを特徴とする請求項１記載の軸受。
【請求項３】
軸受ボックス（１０）の壁（１０ａ〜１０ｄ）における開口（１８）が摺動軸受（１１ａ〜１１ｄ）の座を構成していることを特徴とする請求項２記載の軸受。
【請求項４】
軸受ボックス（１０）の少なくとも一つの壁（１０ａ〜１０ｄ）と組合さった摺動軸受（１１ａ〜１１ｄ、１２ａ〜１２ｄ）が、耐性材料例えば鋼の外側軸受プレート（１３）及び軸受金属製の内側軸受プレート（１４）を備え、前記外側軸受プレート（１３）及び内側軸受プレート（１４）の互いに対向している面が楔型段部を備えた輪郭をもつことを特徴とする請求項３記載の軸受。
【請求項５】
調整装置が、第１の複数の調整用ネジ（１５）から成り、該調整用ネジ（１５）が、一端部で摺動軸受（１１ａ〜１１ｄ）の外側軸受プレート（１３）に固定され、他端部で軸受ボックスに付属する端部フランジ（１６）に組込まれた座に支持され、調整用ネジ（１５）を用いて内側軸受プレート（１４）に対して外側軸受プレート（１３）を軸方向に変位させることで遊びが調整できることを特徴とする請求項４記載の軸受。
【請求項６】
後方摺動軸受（１２ａ〜１２ｄ）に対する調整装置が、複数のキャリア（１７ａ〜１７ｃ）から成り、これらのキャリア（１７ａ〜１７ｃ）が一端部で摺動軸受（１２ａ〜１２ｃ）の外側軸受プレート（１３）にキャリアとして固定され、他端部には別の調整用ネジ（２０）を備え、別の調整用ネジ（２０）が軸受ボックスに付属する端部フランジ（１６）に組込まれた座に支持され、別の調整用ネジ（２０）を用いて内側軸受プレート（１４）に対して外側軸受プレート（１３）を軸方向に変位させることで遊びが調整できることを特徴とする請求項４記載の軸受。
【請求項７】
摺動軸受（１１ａ〜１１ｄ、１２ａ〜１２ｄ）が、変位可能なアーム（６）に対向した磨耗面及び反対側の背面を備え、軸線方向にのびる背面の縁部が面取りされていることを特徴とする請求項１、５、６のいずれか一項記載の軸受。
【請求項８】
請求項１に記載のブーム（１）用のキャリア（２）を有することを特徴とする掘削装置。
【請求項９】
入れ子式に伸長可能なブーム（１）に組込まれ、ブーム（１）のキャリア（２）に接続した後端部及び前端部を備えた外側アーム（５）と、前記前端部に設けられ、外側アーム（５）内を軸方向に変位できる内側アーム（６）とを有し、外側アーム（５）及び内側アーム（６）が方形管から成り、内側アーム（６）の平坦面が外側アーム（５）の対応した平坦面に沿ってのびている摺動軸受（１１ａ〜１１ｄ、１２ａ〜１２ｄ）に関連した軸受遊びの調整方法において、
一緒になって方形管構造を形成する四つの壁（１０ａ〜１０ｄ）を備えたケーシングとして軸受ボックス（１０）を構成し、
軸受ボックス（１０）を外側アーム（５）の前端部内に挿置し、
軸受ボックス（１０）の壁（１０ａ〜１０ｄ）に摺動軸受（１１ａ〜１１ｄ、１２ａ〜１２ｄ）を設けて、外側アーム（５）及び内側アーム（６）の互いに沿ってのびる対応した平坦面に対して適用し、
軸受ボックス（１０）の少なくとも一つの壁（１０ａ〜１０ｃ）に関して、軸線方向に装着した調整装置（１５、２０、１７ａ〜１７ｃ）を設け、
少なくとも一つの摺動軸受（１１ａ〜１１ｃ、１２ａ〜１２ｃ）の厚さを調整するように調整装置を調整することで、少なくとも一つの摺動軸受（１１ａ〜１１ｃ、１２ａ〜１２ｃ）と少なくとも一つの摺動軸受に対して適用した外側アーム（５）及び内側アーム（６）の表面と間の軸受遊びを調整すること
を特徴とする軸受遊びの調整方法。
【請求項１０】
摺動軸受（１１ａ〜１１ｃ、１２ａ〜１２ｃ）が外側軸受プレート（１３）から成り、外側軸受プレート（１３）が内側軸受プレート（１４）と接触し、
それぞれの摺動軸受における外側軸受プレート（１３）と内側軸受プレート（１４）との接触面が、互いに係合する段部を備えた相応した楔型段状輪郭をもつように構成され、
一方の形式の軸受プレートが軸受ボックス（１０）における座で支持され、
他方の形式の軸受プレートが調整装置と接触し、
調整装置を操作する際に、二つの形式の軸受プレートが互いに軸線方向に変位され、それにより軸受プレートの段状輪郭によって摺動軸受の厚さを変化させ、その結果軸受遊びを変更すること
を特徴とする請求項９記載の軸受遊びの調整方法。
【発明の詳細な説明】
【技術分野】
【０００１】
本発明は、入れ子式に伸長可能なブームに組込まれた軸受に関する。特に、本明細書に記載するブームは、削岩機器を支持する削岩機に関連したブームに関するものである。
【背景技術】
【０００２】
上記形式のブームは、例えば掘削機器の装着される上記のブームを備えたキャリアから成り得る掘削機に関連して用いられる。キャリアにはこのような複数のブームが設けられる。この形式の掘削機は公知であり、ここでは説明しない。かかるブームに設けられる穿孔装置の使用し易さや範囲を高めるために、ブームは通常入れ子式手段によって伸長でき、本明細書では入れ子式に伸長可能なと記載する。このことは、ブームが互いに軸方向に変位できる二つ以上のアームを備えていることを意味している。
【０００３】
先行技術によれば、このような入れ子式のブームは、通常、直径の異なる二本の管から成る筒状アームで構成されている。直径の小さい内側アームを構成する内側管は、直径の大きな外側アームを構成する外側管内で変位できる。このような筒状アームは相互に嵌合するようにされている。その結果、これらアームは寸法上の誤差を小さく設計され、互いにしっかりと支持されている。しかし、この構成は精密で高価な処理方法を必要としている。
【０００４】
最近では、このような入れ子式ブームに関連して標準の冷間圧延管、好ましくは標準形式の方形管を用いるのが望ましくなってきている。外側管の内側寸法（管の横断面における高さ及び幅）は、許容誤差を比較的小さくして、内側管を受けて収納するように構成され、内側管の外径（それの横断面の高さ及び幅）は外側管に適合される。
【０００５】
上記の入れ子式構造の方形管を用いた場合には、それらの方形管は明らかに、従来用いられてきた折り返し筒状管と同じ小さな許容誤差で構成することができない。方形管の平坦な側部の表面は多少一様ではなく、そのためブームにおけるアームを形成する二本の管の間にはほぼ±１ｍｍの誤差がある。
【０００６】
内側アームを適正に摩擦なしで外側アーム内を変位させるために、二本の管が互いに摺動する際に、これら二本の管において相互に接触する平坦な面の間に摺動軸受が用いられる。外側の軸受セットは通常外側アームの端部近くに配置され、一方、内側の軸受セットは外側アームにおける同一端部から所望の距離離れて位置決めされる。
【０００７】
従って、掘削装置で作業する際には、内側アームを長く伸ばしてブームのアームを操作すると、摺動軸受に大きな力が働き、二つのアームの間に曲げ応力を受けることは全く普通である。摺動軸受における磨耗は非常に高く、それで比較的短期間で摩滅してしまう。この場合には、摺動軸受は調整するか完全に交換しなければならない。
【０００８】
上記で述べた形式のブームでは、ブームは、ある形式の制御装置を用いて特定の穿孔（掘削）位置に適用されなければならないドリルを備えた送り装置（フィーダー）を支持しているので、できるだけ遊びを少なくすることは重要である。遊びはドリルの位置決めの精度に影響を及ぼす。
【０００９】
先行技術によれば、軸受における遊びを減らす課題に対していろいろな解決手段が提案されている。一つの解決手段では、例えば車両クレーンに共通するシム（間隔調整板）を軸受に付け加えている。別の解決手段では、ネジによって摺動軸受を調整するようにしている。この後者の解決手段では、外側アームと内側アームとの間の対応した平坦な面に設けられる摺動軸受は、外側アームの材料に固定され、そしてその材料に対してねじ込んだり緩めたりできるるネジに接続され、この構成では、摺動軸受は、内側アームにおける表面に向かって又はその表面から離れて動かされる。ネジの中心軸線はブームの長手軸線に垂直であるので、かかるネジには大きな負荷がかかり、このことは、ネジ及びその固定部の両方が大きな力を吸収するように構成されなければならない。調整用ネジの位置に付加的なパネルを固定して外側アームの材料を補強することが必要であり、このことは外側アームの材料を溶接しなければならないことを意味している。
【発明の開示】
【発明が解決しようとする課題】
【００１０】
本発明の一つの目的は、先行技術の欠点を解決することにある。
【課題を解決するための手段】
【００１１】
本発明の一つの特徴によれば、入れ子式に伸長可能なブームに組込まれた軸受であって、ブームのキャリアに接続した後端部及び前端部を備えた外側アームと、前記前端部に設けられ、外側アーム内を軸方向に変位できる内側アームとを有し、外側アーム及び内側アームが方形管から成り、内側アームの平坦面が外側アームの対応した平坦面に沿ってのび、またブームが四つの長手方向側部を備えている軸受において、共に方形管構造を形成する四つの壁を備えたケーシングとして構成した軸受ボックスを有し、軸受ボックスが多数の摺動軸受を備え、そして外側アームと内側アームとの間で外側アームの前端部内に挿置され、摺動軸受が、軸受ボックスの壁に設けられ、そして外側アーム及び内側アームの互いに沿ってのびる対応した平坦面に対して適用され、軸受ボックスの少なくとも一つの壁に関して、少なくとも一つの摺動軸受の厚さを調整し従って少なくとも一つの摺動軸受に対して適用した外側アームと内側アームとの表面間の遊びを調整する軸線方向に装着した調整装置が設けられていることを特徴とする軸受装置が提供される。
【００１２】
本発明の別の特徴によれば、入れ子式に伸長可能なブームに組込まれ、ブームのキャリアに接続した後端部及び前端部を備えた外側アームと、前記前端部に設けられ、外側アーム内を軸方向に変位できる内側アームとを有し、外側アーム及び内側アームが方形管から成り、内側アームの平坦面が外側アームの対応した平坦面に沿ってのびている摺動軸受に関連した軸受遊びの調整方法において、一緒になって方形管構造を形成する四つの壁を備えたケーシングとして軸受ボックスを構成し、軸受ボックスを外側アームの前端部内に挿置し、軸受ボックスの壁に摺動軸受を設けて、外側アーム及び内側アームの互いに沿ってのびる対応した平坦面に対して適用し、軸受ボックスの少なくとも一つの壁に関して、軸線方向に装着した調整装置を設け、少なくとも一つの摺動軸受の厚さを調整するように調整装置を調整することで、少なくとも一つの摺動軸受と少なくとも一つの摺動軸受に対して適用した外側アーム及び内側アームの表面と間の軸受遊びを調整することを特徴とする軸受遊びの調整方法が提供される。
【００１３】
本発明の付加的な実施形態は従属請求項において提供される。
【００１４】
入れ子式のアームすなわち外側アームと内側アームとの間の軸受における遊びは、楔で適用されるシム（間隙調整板）によって調整される。これらの楔はネジによって制御され、ネジの中心軸線は入れ子式ブームの可動アームの動く方向に平行である。楔は大きな表面をもち、そしてブームに垂直なネジによる従来の解決手段に比べて低い面圧で力を伝達できる。
【００１５】
摺動軸受は軸受プレートから成り、これらの軸受プレートは、少なくとも可動アームと対面する側において、軟金属、例えば青銅で構成される。好ましい実施形態によれば、少なくとも前方の摺動軸受において、外側アームの平坦な表面に向かって外方に対向する軸受プレートの表面の長手方向縁部は、二つのアーム間のピボット（回動）運動を吸収するように面取りされる。
【発明の効果】
【００１６】
本発明の解決手段による利点は、
−  調整可能な摺動軸受における遊びが種々の許容結果についてそれぞれの摺動軸受について個々に調整できる野で入れ子式の輪郭（外形）についての処理が比較的安価であること、
−  軸受を再調整できるので、軸受の交換の間隔が比較的長いこと、
−  相互に関連して動く外側アーム及び内側アームの表面間に設けた軸受ボックスにシムを配置しているので、ブーム本体を処理する必要がないこと
にある。
【発明を実施するための最良の形態】
【００１７】
以下添付図面を参照して本発明の幾つかの実施形態について説明する。
【００１８】
図１には、本発明の一つの特徴による軸受の応用分野を示している。本発明による形式のブーム１はブームのキャリア２にフレキシブルに接続される。作動シリンダ３は、ブーム１を操作するためにキャリア２とブームの両方にフレキシブルに接続される。ブーム１の端部には、ブーム１で操作される削岩器具４の一例が示されている。削岩器具は公知形式のものであり、ここではさらに詳しくは説明しない。
【００１９】
削岩器具を操作して削岩（穿孔）する際には、ブーム１は伸ばして削岩器具を位置決めする必要がある。このため、ブーム１は入れ子式に伸長でき、そして外側アーム５と内側アーム６とを備えている。外側アーム５は図示例では、内側アーム６を包囲する方形管から成っている。従って、内側アーム６は外側アーム５に対してその内側を摺動するように構成される。図１において、内側アーム６は外側アーム５内に殆ど完全に引き込まれて示されている。外側アーム５及び内側アーム６は本発明による実施形態では方形の標準（規格）の巻締管から成り、これらの巻締管は図３に示すように四つの平坦な側面５ａ〜５ｄ、６ａ〜６ｄを備えている。
【００２０】
内側アーム６は、内側アームの平坦な側面６ａ〜６ｄと外側アームの平坦な側面５ａ〜５ｄとの間に配置した軸受ボックス１０によって、外側アームのここでは前端部と呼ばれる一端部に支持されている。軸受ボックス１０は、方形管構造を形成する四つの壁１０ａ〜１０ｄを備えたケーシングとして構成されている。軸受ボックスは、軸受ボックス１０に組み込まれた前方の軸受セット１１に関連した多数の摺動軸受１１ａ〜１１ｄ及び後方の軸受セット１２に関連した多数の摺動軸受１２ａ〜１２ｄに対する支持体として機能し、それで軸受セット１１、１２は、ブーム１の前方横断面及び後方横断面に関連して位置決めされる。摺動軸受は、互いに沿ってのびる外側アームの平坦な面と内側アームの平坦な面との間で軸受ボックスの壁１０ａ〜１０ｄに設けられる。好ましい実施形態では、それぞれの軸受セット１１、１２は、ブーム１の外側アーム及び内側アームの頂面（５ｂ、６ｂ）及び側面（５ａ、６ａ及び５ｃ、６ｃ）当たり少なくとも二つの摺動軸受を備え、一方、ブーム１の外側アーム及び内側アームの底面（５ｄ、６ｄ）に関連したそれぞれの軸受セット１１、１２に関して単一摺動軸受が設けられている。軸受セット１１、１２間の間隔は、内側アーム６の許容伸長によって決められる。ここで限界（制限）は、内側アームと外側アームとの間の隙間及び許容軸受圧力によって設定される。
【００２１】
軸受ボックス１０は外側アーム５の前端部から挿置するように構成され、その後内側アーム６が軸受ボックス１０内に挿置される。軸受ボックスは摺動軸受を支持するように構成され、そして一実施形態では、横断面が方形の管状枠体の形態を成している。枠体には、摺動軸受が相互に動く外側アーム及び内側アームの表面に対して押圧でき従ってこれら表面間の接触圧を吸収できるように摺動軸受が位置決めされる少なくとも位置において、それぞれの側壁１０ａ〜１０ｄに開口が設けられる。記載した例では、枠体の開口において、前方の軸受セット１１には少なくとも一つの底部摺動軸受１１ｄが設けられ、また後方の軸受セット１２には少なくとも一つの底部摺動軸受１２ｄが設けられている。これら二つの底部摺動軸受１１ｄ、１２ｄは、内側アーム６及び外側アーム５の底面６ｄ、５ｄ間の軸受を構成している。
【００２２】
内側アーム６の底部が外側アーム５の底面５ｄの内面に当接するので、底部摺動軸受１１ｄ、１２ｄとアームとの間には当然遊びがなく、すなわち遊びは無視できる。従って、これらの底部摺動軸受に対する遊びを調整する手段は必要ない。これらの底部摺動軸受１１ｄ、１２ｄは、それらが磨耗した際には簡単に交換される。
【００２３】
記載した例によれば、他の摺動軸受は、軸受ボックス１０の頂壁１０ｂ及び二つの側壁１０ａ、１０ｃに各々、前方及び後方の軸受セット１１、１２に対してそれぞれ一壁当たり一対の摺動軸受が設けられるように、構成される。摺動軸受のそれぞれの領域に適用したこれらの壁における開口は、上記開口に摺動軸受を受けるように構成される。従って、摺動軸受１１ａ〜１１ｄ、１２ａ〜１２ｄは正しい位置に案内され、そしてアーム５、６が相互に動く際にこの位置に保持する。
【００２４】
頂壁１０ｂ及び側壁１０ａ、１０ｃにおける摺動軸受について、摺動軸受の表面とブーム１のそれぞれの壁との間に許容可能な遊びを保持するために、それらの摺動軸受は調整可能であるように構成され、従って調整可能な摺動軸受１１ａ〜１１ｃ、１２ａ〜１２ｃと呼ばれる。これらの調整可能な摺動軸受１１ａ〜１１ｃ、１２ａ〜１２ｃは、互いに接触する二つの軸受プレート１３、１４として構成され、図３参照、外側軸受プレート１３は外側アーム５の平坦な側面の一つの内側に接触するように構成され、一方、内側軸受プレート１４は内側アーム６の相応した平坦な側面の外側に接触するように構成される。外側軸受プレート１３は外側アーム５に対して一定の位置を占め、そして耐久性のある材料、例えば鋼又は当業者に知られた別の公知の同等の材料で構成され得る。しかし、内側アーム６は、ブーム１の入れ子式の動きに応じて内側軸受プレート１４に対して摺動する。内側軸受プレート１４は軸受金属、例えば青銅で構成される。なお、軸受プレートの符号１３、１４は、すべての調整可能な摺動軸受１１ａ〜１１ｃ、１２ａ〜１２ｃに対して簡潔にするために用いられている。
【００２５】
各かかる摺動軸受における調整可能な摺動軸受１１ａ〜１１ｃ、１２ａ〜１２ｃは、外側軸受プレート１３及び内側軸受プレート１４に互いに対面する表面（図５ａ、図５ｂ）が一様な構成の楔型段部をもって構成されているので、調整可能である。これらの楔型段部は、軸受プレート１３、１４が相互に十分に押圧される際に相互に十分に係合し、すなわち内側軸受プレート１４におけるそれぞれの楔型段部は十分に（完全に）受けられ、そして外側軸受プレート１３における段部の空間を占める。これは、段部がそれぞれの軸受プレート１３、１４において対称構造であるので、可能である。軸受プレートの一方が軸方向に動くと、段部は互いにはずれ、このことは、外側軸受プレート１３及び内側軸受プレート１４が相互に離れるように強制されるので、摺動プレートの厚さが増すことを意味している。
【００２６】
調整可能な摺動軸受１１ａ〜１１ｃ、１２ａ〜１２ｃは上記したように構成されるので、従って、それぞれの摺動軸受の軸受プレート１３、１４を相互に変位させることによって、軸受ボックス１０内の摺動軸受の遊びを調整及び再調整することができる。
【００２７】
前方の軸受セット１１における摺動軸受の調整可能性は、軸受ボックスの前端部に設けられる第１の調整用ネジ１５の形態の調整装置によってもたらされる。調整用ネジ１５は軸受ボックス１０における端部フランジ１６に着座される。そしてそれぞれの調整用ネジ１５は、摺動軸受の外側軸受プレート１３に軸方向にねじ込まれる。調整用ネジ１５を軸方向にねじ込むことによって、外側軸受プレート１３は軸受ボックスの端部に向って引かれ、これにより、内側軸受プレート１４及び外側軸受プレート１３は、内側軸受プレート１４が摺動軸受の内側軸受プレートに対する軸受ボックス１０の開口における適切な位置に固定されるので、相互に横方向に引かれる。摺動軸受の厚さは増大し、摺動軸受と接触する外側アーム５及び内側アーム６の面と摺動軸受の表面との間の遊びは減少する。前方の軸受セット１１におけるそれぞれの調整可能な摺動軸受１１ａ、１１ｂ、１１ｃは記載した例に従って調整される。用語第１の調整用ネジは、外側軸受プレート１３に固定されたネジ付きロッドから成る等価の装置を包含しなければならず、フランジ１６におけるナットはロッドを軸方向に動かす。さらに、この用語は、軸受プレート１３に固定した別のロッドも包含しなければならず、その場合には別の形式の緊締装置はロッドを軸方向に動かす。
【００２８】
後方の軸受セット１２において、調整可能な摺動軸受１２ａ、１２ｂ、１２ｃの調整可能性は、後方摺動軸受の調整装置として機能するキャリア１７ａ、１７ｂ、１７ｃに一体に設けられたそれぞれの摺動軸受における外側軸受プレート１３によってもたらされる。図２にこの構造の一例を示し、キャリア１７ｂは、後方の調整可能な摺動軸受１２ｂから組合さった対の一体の外側軸受プレート１３と共に軸受ボックス１０の頂壁１０ｂに示されている。内側軸受プレート１４は頂壁１０ｂにおける開口１８にはめ込まれる。この結果として、内側軸受プレート１４は、頂壁１０ｂの平面において軸受ボックス１０に対して適切な位置に固定される。この標準の位置では、キャリア１７ｂは頂壁１０ｂに接触し、それで外側軸受プレート１３の楔型段部は内側軸受プレート１４の受け楔型段部と係合する。一つの実施形態によれば、キャリア１７ｂの前端部には、ネジ付きブッシュ１９が設けられている。後方の摺動軸受１２ｂに対する別の調整用ネジ２０は端部フランジ１６と組合さって着座され、そして軸方向に設けられている。調整用ネジ２０はキャリア１７ｂにおけるブッシュ１９にねじ込まれる。調整用ネジ２０を締付けることによって、キャリア１７ｂは、軸受ボックス１０の端部に向かって引張られ、それにより摺動軸受１２ｂにおける軸受プレート１３、１４は、中間の楔型段部により互いに横方向に離れて引かれ、それにより後方の摺動軸受１２ｂは厚さが増す。このようにして、後方の摺動軸受１２ｂに関する遊びは調整用ネジ２０で調整され得る。同様に、軸受ボックスの側部のキャリアは、軸受ボックス１０の壁１０ａ、１０ｃにおける後方の摺動軸受１２ａ、１２ｃを調整するように構成されている。図面において、キャリア１７ａ〜１７ｃと一体の外側軸受プレート１３は長方形の孔を備えている。これには構造上の効果はないが、外側アーム５と内側アーム６との間の隙間が狭いためになされるだけであり、それにより、図示例では、軸受プレートの楔型端部構造によって、内側軸受プレート１４の厚さが最大となる領域において外側軸受プレート１３における材料に対する隙間が殆どなくなる。図５ａ参照。用語別の調整用ネジは、キャリア１７ｂに固定したネジ付きロッドから成る相応した装置を包含しなければならず、その場合にはナットがフランジ１６と共にキャリアを軸方向に動かす。この用語はまた軸受プレート１３に固定した別のロッドも包含しなければならず、その場合には別の形式の緊締装置がロッドを軸方向に動かす。
【００２９】
ここで記載したように、全ての調整可能な摺動軸受１１ａ〜１１ｃ、１２ａ〜１２ｃの遊びは軸受ボックス１０の端部から調整できる。摺動軸受は、摺動軸受の一つの軸受プレートを軸方向に変位させることで調整される。調整用ネジはブーム１の外側アーム５の前方から操作でき、このことは、ブーム１の本体において干渉や処理操作が必要でないことを意味している。それぞれの摺動軸受１１ａ〜１１ｃ、１２ａ〜１２ｃにおける軸受プレート１３、１４は相対的に大きな接触面積で互いに接触するので、摺動軸受は、ブームの外側アーム及び内側アームを介して横方向に伝達される大きな力を吸収できる。これにより、力が調整用ネジで吸収される先行技術の一つの欠点が解消される。
【００３０】
摺動軸受を横断面長方形に作ることは共通であり、このことは、摺動軸受が長手方向縁部を備えることを意味している。長手方向縁部は、特に、ホルダーに固定されない摺動軸受の摺動面、例えば外側アーム５の平坦な面に対向する摺動軸受１１ａ〜１１ｃ、１２ａ〜１２ｃの面に関連して生じる。摺動軸受を介して大きな力を伝達する必要がある場合には、外側アームに対して回動運動する内側アーム、すなわちブーム１の長手軸線の周りで小さな回転運動を行う内側アーム６に対して縁部が接触する危険があるので、これらの縁部を設けることは適切でないかもしれない。このような縁部接触は摺動軸受を早く磨耗させ得る。
【００３１】
本発明の別の特徴によれば、別の実施形態が提供され、縁部接触は、図６に示すように、摺動軸受の長手方向縁部を面取りすることによって避けられる。この実施形態による面取りは、この場合、ブーム１における外側アーム５に対面する外側軸受プレート１３の側面の長手方向縁部において行われる。そして面取りは、摺動軸受の磨耗面が平面でありしかも摺動面の裏側の長手方向縁部が面取りされるように行われる。これは当然逆に行ってもよく、すなわち摺動軸受は平面状の裏面をもち、相応して面取りされかつ摺動軸受に対して動かないアームに固定されるホルダーに接触するようにしてもよい。
【００３２】
この実施形態の利点は、摺動軸受と当接する平坦な面との間の圧力分布が一層一様となることにある。別の例は、一つの軸受座の処理表面とブームに関連した摺動軸受の当接する平坦な面の表面とが必ずしも十分に平行である必要がないので、ブームにおけるアームに比較的安価な輪郭（外形）を使用できることにある。
【００３３】
図６には、上記した摺動軸受１１ａ〜１１ｃ、１２ａ〜１２ｃ（図面には一つの摺動軸受１２ｂについてのみ示している）の長手方向縁部の面取りの例を示しており、内側アーム６はブーム１に平行である軸線のまわりで回動した状態で示されている。明確にするために、この回動は誇張して示されている。図面には、摺動軸受の長手方向縁部との軸外側アーム５の接触は、摺動軸受の二つの側面間に形成された長手方向縁部において行われることが示されており、当該側面間の角度は９０°より非常に大きい鈍角である。内側アーム６は図面にはその頂面６ｂの形態でのみ示されており、外側アーム５はその頂面５ｂでのみ示されている。
【図面の簡単な説明】
【００３４】
【図１】削岩機器を装着した本発明の一つの特徴によるブームの概略斜視図。
【図２】ブームを構成している入れ子式に外側アームの端部から挿置するように構成した軸受ボックスの展開図。
【図３】図２の軸受ボックスの横断面におけるブームの外側アームと内側アームとの間の摺動軸受１１又は１２の位置を示す概略図。
【図４】軸受ボックスの側面図。
【図５ａ】後方摺動軸受の縦断面図。
【図５ｂ】前方摺動軸受の縦断面図。
【図６】一つだけの中間摺動軸受を示す、ブームに沿った軸線のまわりで相互に僅かに回転した外側アームと内側アームとを備えたブームの概略横断面図。
【図１】
2009517568.tif 000003
【図２】
2009517568.tif 000004
【図３】
2009517568.tif 000005
【図４】
2009517568.tif 000006
【図５ａ】
2009517568.tif 000007
【図５ｂ】
2009517568.tif 000008
【図６】
2009517568.tif 000009
【国際調査報告】
2009517568.tif 000010
2009517568.tif 000011
2009517568.tif 000012